(57)【特許請求の範囲】
【請求項１】
自動電話交換機に収容される加入者が電話による会議を行うための電話会議装置であって、入力ハイウェイのデータを各チャネル毎に格納する格納手段と、前記入力ハイウェイのデータを入力される順番に加算する加算手段と、前記加算手段が１フレーム分のデータを加算した時に次に入力されるタイムスロットと同じチャネルのデータを前記格納手段から選択的に読出す第１の選択手段と、前記第１の選択手段で選択されたデータを前記加算手段の加算結果から減算して記憶する手段と、出力ハイウェイに出力するタイミングで該当タイムスロットの自己の音声を前記格納手段から選択的に読出す第２の選択手段と、前記第２の選択手段で選択されたデータを前記出力ハイウェイに出力するデータから減算して記憶する手段とを有することを特徴とする電話会議装置。
【請求項２】
自動電話交換機に収容される加入者が電話による会議を行うための電話会議装置であって、入力ハイウェイのデータを各チャネル毎に格納する格納手段と、前記入力ハイウェイのデータを入力される順番に加算する加算手段と、前記加算手段が１フレーム分のデータを加算した時に出力ハイウェイに出力するタイミングで該当タイムスロットの自己の音声を前記格納手段から選択的に読出す第１の選択手段と、前記第１の選択手段で選択されたデータを前記加算手段の加算結果から減算して記憶する手段と、その記憶されたデータに不足するデータを前記格納手段から選択的に読出す第２の選択手段と、前記第２の選択手段で選択されたデータを前記加算手段の加算結果に加算して記憶する手段とを有することを特徴とする電話会議装置。
【請求項３】
前記第２の選択手段は、前記第１の選択手段で選択されたデータが前記加算手段の加算結果から減算されて記憶されたデータから自己の音声よりも１つ前のタイムスロットのチャネルのデータを前記格納手段から選択的に読出すよう構成したことを特徴とする請求項２記載の電話会議装置。
【発明の詳細な説明】
【０００１】
【発明の属する技術分野】
本発明は電話会議装置に関し、特に自動電話交換機に収容される加入者が電話による会議を行う電話会議装置に関する。
【０００２】
【従来の技術】
従来、この種の電話会議装置においては、入力ハイウェイのデータを１フレーム分加算した結果から自己の音声データを減算して出力ハイウェイに出力している。
【０００３】
この場合、回路構成を簡単にするために、入力ハイウェイ及び出力ハイウェイはシリアルなディジタル信号で扱われ、加算処理を行うために入力ハイウェイのディジタル信号をパラレル変換し、加減算した後に再びシリアル変換して出力ハイウェイに出力される。
【０００４】
入力ハイウェイ及び出力ハイウェイのシリアル信号は通常、不特定の会議参加者と接続するため、通話路スイッチに接続されている。その場合の通話路スイッチは複数のトランクと接続されることから、通話路スイッチのタイミング回路を複雑にしないために、入力ハイウェイと出力ハイウェイとのタイムスロットは入力ハイウェイのフレームヘッド信号とクロック信号とに同期させている。
【０００５】
特開昭５９−１５２７６９号公報には、３者以上の加入者間の同時通話を実現する会議通話装置について記載されている。この会議通話装置では加入者が参加する会議グループを識別する情報を時分割多重された入力信号の加入者毎のタイムスロットに対応して付加し、各会議グループに対応した加算結果を保持するメモリを設け、加入者のタイムスロット毎に会議グループ識別情報にしたがって加算結果を読出し、書込む会議グループに対応したメモリのアドレスを指定して加算している。
【０００６】
また、特開平５−２６０１９５号公報には、回路構成を簡単にし、安価に構成可能なディジタル電話会議装置について記載されている。このディジタル電話会議装置では受信ハイウェイからの各会議参加者のタイムスロット毎のシリアルなディジタル信号をパラレルのディジタル信号に変換するシリアル／パラレル変換手段と、送信ハイウェイに送出する音声データの加算結果をディジタル信号として予め格納しかつシリアル／パラレル変換手段の出力をアドレスとして対応する加算結果のディジタル信号を出力するメモリ手段と、メモリ手段の出力を各会議参加者に対応してシリアルのディジタル信号に変換して送信ハイウェイの所定のタイムスロットに送出するパラレル／シリアル変換手段とを備えている。
【０００７】
【発明が解決しようとする課題】
上述した従来の電話会議装置では、図５に示すように、入力ハイウェイのシリアル信号をパラレル変換するために、１タイムスロット分の時間が必要となる。また、従来の電話会議装置では出力ハイウェイに出力するのにパラレル信号をシリアル変換するため、１タイムスロット分の時間が必要となる。
【０００８】
さらに、会議参加者全員の音声をミキシングするために、入力ハイウェイのチャネルＣＨ＃０のデータから順次加算を繰返し、１フレーム分の計算結果を得てから自己の音声データを減算して出力ハイウェイに出力する時、パラレル信号をシリアル信号に変換する時間が必要となる。
【０００９】
よって、チャネルＣＨ＃０のタイミングで会議参加者全員の音声をミキシングした結果から自己の音声を減算して出力ハイウェイから出力するためにはチャネルＣＨ＃Ｎ−１までのデータしか加算することができず、１タイムスロット分が無駄となってしまう。したがって、１フレームにチャネルＣＨ＃Ｎまでのタイムスロットを持つハイウェイの場合、チャネルＣＨ＃０〜ＣＨ＃Ｎ−１の会議参加者数しか扱うことができない。
【００１０】
そこで、本発明の目的は上記の問題点を解消し、入力ハイウェイに入力される全てのタイムスロットのデータを有効とし、自装置に割当てられるタイムスロットの無駄をなくすことができる電話会議装置を提供することにある。
【００１１】
【課題を解決するための手段】
本発明による電話会議装置は、自動電話交換機に収容される加入者が電話による会議を行うための電話会議装置であって、入力ハイウェイのデータを各チャネル毎に格納する格納手段と、前記入力ハイウェイのデータを入力される順番に加算する加算手段と、前記加算手段が１フレーム分のデータを加算した時に次に入力されるタイムスロットと同じチャネルのデータを前記格納手段から選択的に読出す第１の選択手段と、前記第１の選択手段で選択されたデータを前記加算手段の加算結果から減算して記憶する手段と、出力ハイウェイに出力するタイミングで該当タイムスロットの自己の音声を前記格納手段から選択的に読出す第２の選択手段と、前記第２の選択手段で選択されたデータを前記出力ハイウェイに出力するデータから減算して記憶する手段とを備えている。
【００１２】
本発明による他の電話会議装置は、自動電話交換機に収容される加入者が電話による会議を行うための電話会議装置であって、入力ハイウェイのデータを各チャネル毎に格納する格納手段と、前記入力ハイウェイのデータを入力される順番に加算する加算手段と、前記加算手段が１フレーム分のデータを加算した時に出力ハイウェイに出力するタイミングで該当タイムスロットの自己の音声を前記格納手段から選択的に読出す第１の選択手段と、前記第１の選択手段で選択されたデータを前記加算手段の加算結果から減算して記憶する手段と、その記憶されたデータに不足するデータを前記格納手段から選択的に読出す第２の選択手段と、前記第２の選択手段で選択されたデータを前記加算手段の加算結果に加算して記憶する手段とを備えている。
【００１３】
すなわち、本発明の電話会議装置は、入力ハイウェイのデータを各チャネル毎に格納する手段と、入力ハイウェイのデータを入力される順番に加算しかつ１フレーム分のデータを加算した時に次に入力されるタイムスロットと同じチャネルのデータを格納エリアから選択して加算結果から減算して記憶する手段と、出力ハイウェイに出力するタイミングで該当タイムスロットの自己の音声を格納エリアから選択して減算して記憶する手段とを有している。
【００１４】
このような構成とすることで、本発明の電話会議装置では、入力ハイウェイに入力されるデータを順次加算と減算とを繰返し、常に１フレーム分の加算結果を得られるようにしている。そのため、１フレーム分の加算結果から自己の音声を減算するタイミングにおいても全てのタイムスロットのデータを有効とすることが可能となるので、入力ハイウェイに入力される全てのタイムスロットのデータを有効とし、自装置に割当てられるタイムスロットの無駄をなくすことが可能となる。
【００１５】
また、本発明の電話会議装置は、入力ハイウェイのデータを各チャネル毎に格納する手段と、入力ハイウェイのデータを入力される順番に加算しかつ１フレーム分のデータを加算した時に出力ハイウェイに出力するタイミングで該当タイムスロットの自己の音声を格納エリアから選択して減算して記憶する手段と、その記憶されたデータから自己の音声よりも１つ前のタイムスロットのチャネルのデータを格納エリアから選択して加算して記憶する手段とを有している。
【００１６】
このような構成とすることで、本発明の電話会議装置では、入力ハイウェイに入力されるデータを順次加算し、自己の音声を減算することを繰返して得られる結果が自己の音声を減算するタイミングで１フレーム分の加算結果に対して自己の音声以外に不足するチャネルのデータを加算するようにしている。そのため、全てのタイムスロットのデータを有効とすることが可能となるので、入力ハイウェイに入力される全てのタイムスロットのデータを有効とし、自装置に割当てられるタイムスロットの無駄をなくすことが可能となる。
【００１７】
【発明の実施の形態】
次に、本発明の実施例について図面を参照して説明する。図１は本発明の一実施例による電話会議装置の構成を示すブロック図である。図において、本発明の一実施例による電話会議装置はシリアル／パラレル変換器（Ｓ／Ｐ）１と、格納エリア２と、加算器（ＡＤＤ）３と、選択器（ＳＥＬ）４ａ，４ｂと、選択信号発生器（ＣＮＴ）５と、減算器（ＳＵＢ）６ａ，６ｂと、データバッファ（ＤＦ）７ａ，７ｂと、パラレル／シリアル変換器８とから構成されている。
【００１８】
シリアル／パラレル変換器１は入力ハイウェイから入力されるシリアル信号をパラレル信号に順次変換する。格納エリア２はシリアル／パラレル変換器１で変換されたチャネルＣＨ＃１〜ＣＨ＃５の各パラレル信号を格納する。１フレームを越える場合には各チャネルＣＨ＃１〜ＣＨ＃５とも上書きされて更新される。格納エリア２の各格納データの初期値はデータ０とする。
【００１９】
加算器３ａはデータバッファ７ａがラッチしているデータとシリアル／パラレル変換器１が出力するデータとを加算する。選択器４ａ，４ｂは選択信号発生器５からの選択信号によって格納エリア２が格納するデータを唯一選択する。選択器４ａは選択器４ｂよりも１チャネル前の格納データを選択するように選択入力の順番を１チャネル分ずらした状態にしている。
【００２０】
選択信号発生器５はシリアル／パラレル変換器１の出力がチャネルＣＨ＃５を出力する時に選択器４ａがチャネルＣＨ＃１の格納データを選択するタイミングで選択信号を出力する。
【００２１】
また同様に、選択信号発生器５はシリアル／パラレル変換器１の出力がチャネルＣＨ＃１を出力する時に選択器４ａがチャネルＣＨ＃２の格納データを選択するタイミングで選択信号を出力し、順次選択信号をシリアル／パラレル変換器１の出力タイミングに合わせて更新していき、シリアル／パラレル変換器１の出力がチャネルＣＨ＃４を出力する時に選択器４ａがチャネルＣＨ＃５の格納データを選択するタイミングで選択信号を出力する。
【００２２】
さらに同様に、選択信号発生器５は選択器４ｂの場合、シリアル／パラレル変換器１の出力がチャネルＣＨ＃１を出力する時に選択器４ｂがチャネルＣＨ＃３の格納データを選択するタイミングで選択信号を出力し、順次選択信号をシリアル／パラレル変換器１の出力タイミングに合わせて更新していき、シリアル／パラレル変換器１の出力がチャネルＣＨ＃４を出力する時に選択器４ａがチャネルＣＨ＃１の格納データを選択するタイミングで選択信号を出力する。
【００２３】
減算器６ａは加算器３ａが出力する加算結果から選択器４ａが選択する格納データを減算する。減算器６ｂは加算器３ａが出力する加算結果から選択器４ｂが選択する格納データを減算する。
【００２４】
データバッファ７ａは減算器６ａが出力する減算結果をラッチする。初期値はデータ０とする。データバッファ７ｂは減算器６ｂが出力する減算結果をラッチする。パラレル／シリアル変換器８はデータバッファ７ｂが出力するパラレルのラッチデータをシリアルデータに変換する。
【００２５】
図２は本発明の一実施例による電話会議装置の動作を示すタイムチャートである。これら図１及び図２を参照して本発明の一実施例による電話会議装置の動作について説明する。
【００２６】
本説明では扱うチャネルをＣＨ＃１〜ＣＨ＃５の５チャネルとしているが、本発明はこのチャネル数に限定されるものではない。入力ハイウェイに入力されるチャネルＣＨ＃１〜ＣＨ＃５のシリアルデータはシリアル／パラレル変換器１によって順次パラレルデータに変換される。シリアル／パラレル変換器１によって変換されたパラレルデータは各チャネル毎に格納エリア２に格納される。
【００２７】
一番最初にチャネルＣＨ＃１のデータがシリアル／パラレル変換器１によってパラレル変換された時、データバッファ７ａには初期値のデータ０がラッチされた状態となっており、シリアル／パラレル変換器１の出力とデータバッファ７ａとの加算結果は、
ＣＨ＃１＋０＝ＣＨ＃１
となり、加算器３の出力はチャネルＣＨ＃１のデータとなる。その時、選択器４ａでは格納エリア２のチャネルＣＨ＃２の格納データを選択するが、チャネルＣＨ＃２の格納エリアにはまだデータが格納されていないため、初期値のデータ０が出力される。
【００２８】
減算器６ａでは加算器３が出力するチャネルＣＨ＃１のデータから選択器４ａの選択データである初期値のデータ０を減算するため、
ＣＨ＃１−０＝ＣＨ＃１
となり、チャネルＣＨ＃１のデータが出力され、データバッファ７ａにラッチされる。
【００２９】
次に、チャネルＣＨ＃２のデータがシリアル／パラレル変換器１によってパラレル変換された時、データバッファ７ａにはチャネルＣＨ＃１のデータがラッチされているため、シリアル／パラレル変換器１の出力とデータバッファ７ａとの加算結果は、
ＣＨ＃２＋ＣＨ＃１
となる。その時、選択器４ａでは格納エリア２のチャネルＣＨ＃３の格納データを選択するが、チャネルＣＨ＃３の格納エリアにはまだデータが格納されていないため、初期値のデータ０が出力される。
【００３０】
減算器６ａでは加算器３の出力データから選択器４ａの選択データである初期値のデータ０を減算するため、
ＣＨ＃２＋ＣＨ＃１−０
となり、データバッファ７ａにラッチされる。
【００３１】
同様に、チャネルＣＨ＃５のデータがシリアル／パラレル変換器１によってパラレル変換された時、シリアル／パラレル変換器１の出力とデータバッファ７ａとの加算結果は、
ＣＨ＃５＋ＣＨ＃４＋ＣＨ＃３＋ＣＨ＃２＋ＣＨ＃１
となる。その時、選択器４ａでは格納エリア２のチャネルＣＨ＃１の格納データを選択するため、前に格納されたチャネルＣＨ＃１のデータを出力する。
【００３２】
減算器６ａでは加算器３の出力データから選択器４ａの選択データを減算するため、
ＣＨ＃５＋ＣＨ＃４＋ＣＨ＃３＋ＣＨ＃２＋ＣＨ＃１−ＣＨ＃１
となり、データバッファ７ａには、
ＣＨ＃５＋ＣＨ＃４＋ＣＨ＃３＋ＣＨ＃２
がラッチされる。
【００３３】
再びチャネルＣＨ＃１のデータがシリアル／パラレル変換器１によってパラレル変換された時、シリアル／パラレル変換器１の出力とデータバッファ７ａとの加算結果は、
ＣＨ＃１＋ＣＨ＃５＋ＣＨ＃４＋ＣＨ＃３＋ＣＨ＃２
となる。その時、選択器４ａでは格納エリア２のチャネルＣＨ＃２の格納データを選択するため、前に格納されたチャネルＣＨ＃２のデータを出力する。
【００３４】
減算器６ａでは加算器３の出力データから選択器４ａの選択データを減算するため、
ＣＨ＃１＋ＣＨ＃５＋ＣＨ＃４＋ＣＨ＃３＋ＣＨ＃２−ＣＨ＃２
となり、データバッファ７ａには、
ＣＨ＃１＋ＣＨ＃５＋ＣＨ＃４＋ＣＨ＃３
がラッチされる。
【００３５】
再びチャネルＣＨ＃２のデータがシリアル／パラレル変換器１によってパラレル変換された時、シリアル／パラレル変換器１の出力とデータバッファ７ａとの加算結果は、
ＣＨ＃２＋ＣＨ＃１＋ＣＨ＃５＋ＣＨ＃４＋ＣＨ＃３
となる。このように、加算器３には常に１フレーム分の加算データが出力されている。
【００３６】
一方、チャネルＣＨ＃１のデータがシリアル／パラレル変換器１によってパラレル変換されるタイミングで、選択器４ｂはチャネルＣＨ＃３の格納エリアを選択している。その時の減算器６ｂでの減算結果は、
0003970461.tif 000002
となり、データバッファ７ｂにラッチされる。このラッチデータは次のタイミングでパラレル／シリアル変換器８でシリアル信号に変換され、入力ハイウェイにチャネルＣＨ＃３のデータが入力されるタイミングと同じタイミングで出力ハイウェイに出力される。この時のデータは、
ＣＨ＃１＋ＣＨ＃５＋ＣＨ＃４＋ＣＨ＃２
であり、チャネルＣＨ＃３のデータが抜けているデータとなり、ちょうどチャネルＣＨ＃３の受話信号として自己の送話信号が減算された信号として出力されることとなる。
【００３７】
同様に、チャネルＣＨ＃２のデータがシリアル／パラレル変換器１によってパラレル変換されるタイミングで、選択器４ｂはチャネルＣＨ＃４の格納エリアを選択している。その時の減算器６ｂでの減算結果は、
0003970461.tif 000003
となり、データバッファ７ｂにラッチされる。このラッチデータは次のタイミングでパラレル／シリアル変換器８でシリアル信号に変換され、入力ハイウェイにチャネルＣＨ＃４のデータが入力されるタイミングと同じタイミングで出力ハイウェイに出力される。この時のデータは、
ＣＨ＃２＋ＣＨ＃１＋ＣＨ＃５＋ＣＨ＃３
であり、チャネルＣＨ＃４のデータが抜けているデータとなり、ちょうどチャネルＣＨ＃４の受話信号として自己の送話信号が減算された信号として出力されることとなる。上記のように、出力ハイウェイには常に自己の送話信号を減算した信号をそのチャネルの受話信号として出力している。
【００３８】
図３は本発明の他の実施例による電話会議装置の構成を示すブロック図である。図において、本発明の他の実施例による電話会議装置はシリアル／パラレル変換器（Ｓ／Ｐ）１と、格納エリア２と、加算器（ＡＤＤ）３ａ，３ｂと、選択器（ＳＥＬ）４ａ，４ｂと、選択信号発生器（ＣＮＴ）５と、減算器（ＳＵＢ）６ａと、データバッファ（ＤＦ）７ａ，７ｂと、パラレル／シリアル変換器８とから構成されている。
【００３９】
本発明の他の実施例による電話会議装置では本発明の一実施例による電話会議装置の構成に対して、選択器４ａ，４ｂ、減算器６ａ、データバッファ７ａ，７ｂの接続を変え、減算器６ｂを削除して加算器３ｂを追加している。
【００４０】
減算器６ａは加算器３ａと選択器４ｂとに接続され、加算器３ａが出力する加算結果から選択器４ｂが選択する格納データを減算する。加算器３ｂはデータバッファ７ａと選択器４ａとに接続され、データバッファ７ａが出力するラッチデータと選択器４ａが選択する格納データとを加算する。データバッファ７ｂは加算器３ｂが出力する加算結果をラッチする。
【００４１】
図４は本発明の他の実施例による電話会議装置の動作を示すタイムチャートである。これら図３及び図４を参照して本発明の他の実施例による電話会議装置の動作について説明する。
【００４２】
本説明では扱うチャネルをチャネルＣＨ＃１〜ＣＨ＃５の５チャネルとしているが、本発明はこのチャネル数に限定されるものではない。入力ハイウェイに入力されるチャネルＣＨ＃１〜ＣＨ＃５のシリアルデータはシリアル／パラレル変換器１によって順次パラレルデータに変換される。シリアル／パラレル変換器１によって変換されたパラレルデータは各チャネルＣＨ＃１〜ＣＨ＃５毎に格納エリア２に格納される。
【００４３】
一番最初にチャネルＣＨ＃１のデータがシリアル／パラレル変換器１によってパラレル変換された時、データバッファ７ａには初期値のデータ０がラッチされた状態となっており、シリアル／パラレル変換器１の出力とデータバッファ７ａとの加算結果は、
ＣＨ＃１＋０＝ＣＨ＃１
となり、加算器３ａの出力はチャネルＣＨ＃１のデータとなる。その時、選択器４ｂでは格納エリア２のチャネルＣＨ＃３の格納データを選択するが、チャネルＣＨ＃３の格納エリアにはまだデータが格納されていないため、初期値のデータ０が出力される。
【００４４】
減算器６ａでは加算器３ａが出力するチャネルＣＨ＃１のデータから選択器４ｂの選択データである初期値のデータ０を減算するため、
ＣＨ＃１−０＝ＣＨ＃１
となり、チャネルＣＨ＃１のデータが出力され、データバッファ７ａにラッチされる。
【００４５】
次に、チャネルＣＨ＃２のデータがシリアル／パラレル変換器１によってパラレル変換された時、データバッファ７ａにはチャネルＣＨ＃１のデータがラッチされているため、シリアル／パラレル変換器１の出力とデータバッファ７ａとの加算結果は、
ＣＨ＃２＋ＣＨ＃１
となる。その時、選択器４ｂでは格納エリア２のチャネルＣＨ＃４の格納データを選択するが、チャネルＣＨ＃４の格納エリアにはまだデータが格納されていないため、初期値のデータ０が出力される。
【００４６】
減算器６ａでは加算器３ａの出力データから選択器４ｂの選択データである初期値のデータ０を減算するため、
ＣＨ＃２＋ＣＨ＃１−０
となり、データバッファ７ａにラッチされる。
【００４７】
同様に、チャネルＣＨ＃４のデータがシリアル／パラレル変換器１によってパラレル変換された時、シリアル／パラレル変換器１の出力とデータバッファ７ａとの加算結果は、
ＣＨ＃４＋ＣＨ＃３＋ＣＨ＃２＋ＣＨ＃１
となる。その時、選択器４ｂでは格納エリア２のチャネルＣＨ＃１の格納データを選択するため、前に格納されたチャネルＣＨ＃１のデータを出力する。
【００４８】
減算器６ａでは加算器３ａの出力データから選択器４ｂの選択データを減算するため、
ＣＨ＃４＋ＣＨ＃３＋ＣＨ＃２＋ＣＨ＃１−ＣＨ＃１
となり、データバッファ７ａには、
ＣＨ＃４＋ＣＨ＃３＋ＣＨ＃２
がラッチされる。
【００４９】
同様に、チャネルＣＨ＃５のデータがシリアル／パラレル変換器１によってパラレル変換された時、シリアル／パラレル変換器１の出力とデータバッファ７ａとの加算結果は、
ＣＨ＃５＋ＣＨ＃４＋ＣＨ＃３＋ＣＨ＃２
となる。その時、選択器４ａでは格納エリア２のチャネルＣＨ＃２の格納データを選択するため、前に格納されたチャネルＣＨ＃２のデータを出力する。
【００５０】
減算器６ａでは加算器３ａの出力データから選択器４ｂの選択データを減算するため、
ＣＨ＃５＋ＣＨ＃４＋ＣＨ＃３＋ＣＨ＃２−ＣＨ＃２
となり、データバッファ７ａには、
ＣＨ＃５＋ＣＨ＃４＋ＣＨ＃３
がラッチされる。その時、選択器４ａは格納エリア２からチャネルＣＨ＃１の格納データを選択するため、前に格納されたチャネルＣＨ＃１のデータを出力する。
【００５１】
加算器３ｂではデータバッファ７ａの出力と選択器４ａの出力との加算を行うため、
ＣＨ＃５＋ＣＨ＃４＋ＣＨ＃３＋ＣＨ＃１
を出力する。
【００５２】
データバッファ７ｂでは加算器３ｂの出力である、
ＣＨ＃５＋ＣＨ＃４＋ＣＨ＃３＋ＣＨ＃１
をラッチする。このラッチデータは次のタイミングでパラレル／シリアル変換器８でシリアル信号に変換され、入力ハイウェイにチャネルＣＨ＃２のデータが入力されるタイミングと同じタイミングで出力ハイウェイに出力される。この時のデータは、
ＣＨ＃５＋ＣＨ＃４＋ＣＨ＃３＋ＣＨ＃１
であり、チャネルＣＨ＃２のデータが抜けているデータとなり、ちょうどチャネルＣＨ＃２の受話信号として自己の送話信号が減算された信号として出力されることになる。
【００５３】
同様に、チャネルＣＨ＃１のデータがシリアル／パラレル変換器１によってパラレル変換された時、シリアル／パラレル変換器１の出力とデータバッファ７ａとの加算結果は、
ＣＨ＃１＋ＣＨ＃５＋ＣＨ＃４＋ＣＨ＃３
となる。その時、選択器４ｂでは格納エリア２のチャネルＣＨ＃３の格納データを選択するため、前に格納されたチャネルＣＨ＃３のデータを出力する。
【００５４】
減算器６ａでは加算器３ａの出力データから選択器４ｂの選択データを減算するため、
ＣＨ＃１＋ＣＨ＃５＋ＣＨ＃４＋ＣＨ＃３−ＣＨ＃３
となり、データバッファ７ａには、
ＣＨ＃１＋ＣＨ＃５＋ＣＨ＃４
がラッチされる。その時、選択器４ａは格納エリア２からチャネルＣＨ＃２の格納データを選択するため、前に格納されたチャネルＣＨ＃２のデータを出力する。
【００５５】
加算器３ｂではデータバッファ７ａの出力と選択器４ａの出力との加算を行うため、
ＣＨ＃１＋ＣＨ＃５＋ＣＨ＃４＋ＣＨ＃２
を出力する。
【００５６】
データバッファ７ｂでは加算器３ｂの出力である、
ＣＨ＃１＋ＣＨ＃５＋ＣＨ＃４＋ＣＨ＃２
をラッチする。このラッチデータは次のタイミングでパラレル／シリアル変換器８でシリアル信号に変換され、入力ハイウェイにチャネルＣＨ３のデータが入力されるタイミングと同じタイミングで出力ハイウェイに出力される。この時のデータは、
ＣＨ＃１＋ＣＨ＃５＋ＣＨ＃４＋ＣＨ＃２
であり、チャネルＣＨ＃３のデータが抜けているデータとなり、ちょうどチャネルＣＨ＃３の受話信号として自己の送話信号が減算された信号として出力されることとなる。上記のように、出力ハイウェイには常に自己の送話信号を減算した信号をそのチャネルの受話信号として出力している。
【００５７】
このように、会議トランク（図示せず）に入力される全てのタイムスロットのデータを有効に使用することができるので、会議トランクに割当てられるタイムスロットの無駄をなくすことができる。そのため、１フレーム３２チャネル（ＣＨ）で扱う電話交換機では、従来、３２者での電話会議を行う必要がある場合、１フレーム３１チャネル（ＣＨ）までの会議トランクを２つ用意する必要があったが、本発明では１フレーム３２チャネル（ＣＨ）まで会議トランクを１つで済ますことができる。
【００５８】
【発明の効果】
以上説明したように本発明によれば、入力ハイウェイのデータを各チャネル毎に格納する手段と、入力ハイウェイのデータを入力される順番に加算しかつ１フレーム分のデータを加算した時に次に入力されるタイムスロットと同じチャネルのデータを格納エリアから選択して加算結果から減算して記憶する手段と、出力ハイウェイに出力するタイミングで該当タイムスロットの自己の音声を格納エリアから選択して減算して記憶する手段とを備えることによって、入力ハイウェイに入力される全てのタイムスロットのデータを有効とし、自装置に割当てられるタイムスロットの無駄をなくすことができるという効果がある。
【図面の簡単な説明】
【図１】本発明の一実施例による電話会議装置の構成を示すブロック図である。
【図２】本発明の一実施例による電話会議装置の動作を示すタイムチャートである。
【図３】本発明の他の実施例による電話会議装置の構成を示すブロック図である。
【図４】本発明の他の実施例による電話会議装置の動作を示すタイムチャートである。
【図５】従来例による電話会議装置の動作を示すタイムチャートである。
【符号の説明】
１  シリアル／パラレル変換器
２  格納エリア
３，３ａ，３ｂ  加算器
４ａ，４ｂ  選択器
５  選択信号発生器
６ａ，６ｂ  減算器
７ａ，７ｂ  データバッファ
８  パラレル／シリアル変換器
【図１】
0003970461.tif 000004
【図２】
0003970461.tif 000005
【図３】
0003970461.tif 000006
【図４】
0003970461.tif 000007
【図５】
0003970461.tif 000008